(57)【要約】【課題】共通の表示画面上で異なる方向からそれぞれ異なる画像を視認できる表示装置において、画像間のクロストークを大幅に低減する。【解決手段】共通の表示部１００に第１及び第２の画像ＩＭ１，ＩＭ２をそれぞれ異なる方向から視認できるように表示する表示装置の表示制御部１０は、第１及び第２の画像の画像信号ＤＴ１，ＤＴ２を表示部１００へ所定のフレームレートで交互に出力して第１及び第２の画像ＩＭ１，ＩＭ２を交互に表示させる。これにより、一方の画像を表示中に他方の画像が表示されないので、第１の画像と第２の画像との間のクロストークが大幅に低減される。【選択図】図１
2007078923.tif 000002
【特許請求の範囲】
【請求項１】
共通の表示部に形成されたそれぞれ異なる方向から視認できる第１及び第２の画面に、第１及び第２の画像をそれぞれ表示させる表示制御装置であって、
前記第１及び第２の画面に第1の画像及び補間画像をそれぞれ表示する第1の表示状態と、前記第１及び第２の画面に補間画像及び第2の画像をそれぞれ表示する第2の表示状態とを交互に繰り返して前記第１及び第２の画像を交互に表示させるクロストーク補正表示手段を有することを特徴とする表示制御装置。
【請求項２】
前記クロストーク補正表示手段は、前記第１又は第２の画像と共に黒画からなる補間画像を表示させることを特徴とする請求項１に記載の表示制御装置。
【請求項３】
前記クロストーク補正表示手段は、前記第1又は第2の画像と共に白画からなる補間画像を表示させることを特徴とする請求項１に記載の表示制御装置。
【請求項４】
前記クロストーク補正表示手段は、前記第1又は第2の画像と共に無彩色画からなる補間画像を表示させることを特徴とする請求項２に記載の表示制御装置。
【請求項５】
前記クロストーク補正表示手段は、前記第１及び第２の画像の画像信号のコントラスト又はブライトネスを調整することを特徴とする請求項１に記載の表示制御装置。
【請求項６】
前記クロストーク補正表示手段は、黒画と白画の間で前記補間画像の輝度レベルを調整することを特徴とする請求項１に記載の表示制御装置。
【請求項７】
前記クロストーク補正表示手段は、前記表示部の周囲の明るさに応じて前記補間画像の輝度レベルを決定することを特徴とする請求項６に記載の表示制御装置。
【請求項８】
前記クロストーク補正表示手段は、前記画像信号の輝度レベルに応じて前記補間画像の輝度レベルを決定することを特徴とする請求項６に記載の表示制御装置。
【請求項９】
前記クロストーク補正表示手段は、前記第１又は第２の画像と共に、前記第１又は第２の画像と補色関係を有する色の画像を前記補間画像とすることを特徴とする請求項１に記載の表示制御装置。
【請求項１０】
前記クロストーク補正表示手段は、前記第１又は第２の画像を部分的に黒画に置換して前記補間画像とすることを特徴とする請求項１に記載の表示制御装置。
【請求項１１】
前記クロストーク補正表示手段は、黒画の補間画像と白画の補間画像とを時間的に所定の割合で振り分けて表示させることを特徴とする請求項１に記載の表示制御装置。
【請求項１２】
前記クロストーク補正表示手段は、ユーザにより設定された設定値に基づいて前記補間画像を形成することを特徴とする請求項１ないし１１のいずれかに記載の表示制御装置。
【請求項１３】
前記第１及び第２の画像の画像信号が一致又は近似しているかを判断する信号判断手段を有し、
前記信号判断手段により前記第１及び第２の画像の画像信号が一致又は近似していると判断される場合には、前記第１及び第２の画像の画像信号を前記表示部へ同時に出力することを特徴とする請求項１ないし１２のいずれかに記載の表示制御装置。
【請求項１４】
前記信号判断手段は、前記第１及び第２の画像の画像信号の差分値を算出すると共にこの差分値の一画像内における積算値に基づいて、前記第１及び第２の画像の画像信号が一致又は近似するかを判断することを特徴とする請求項１３に記載の表示制御装置。
【請求項１５】
前記信号判断手段は、前記第１及び第２の画像の画像信号の差分値を算出すると共にこの差分値の一画像内における最大値に基づいて、前記第１及び第２の画像の画像信号が一致又は近似するかを判断することを特徴とする請求項１３に記載の表示制御装置。
【請求項１６】
前記信号判断手段は、前記第１及び第２の画像の画像信号の差分値を算出すると共にこの差分値が一画像内において所定のしきい値を超える回数に基づいて、前記第１及び第２の画像の画像信号が一致又は近似するかを判断する、
ことを特徴とする請求項１３に記載の表示制御装置。
【請求項１７】
前記クロストーク補正表示手段の起動に応じて、前記表示部の有するバックライトの輝度を上昇させることを特徴とする請求項１ないし１２のいずれかに記載の表示制御装置。
【請求項１８】
前記表示部は、前記第１及び第２の画像の視認できる方向を規定するための可動の視差バリアを備え、
前記クロストーク補正表示手段は、前記第１及び第２の画像の一方の画像信号の出力に同期させて他方の画像を遮蔽するように前記視差バリアの遮光部を伸張させることを特徴とする請求項１又は２に記載の表示制御装置。
【請求項１９】
それぞれ異なる方向から視認できる第１及び第２の画面を備えた共通の表示部と、前記第１及び第２の画面に第1及び第2の画像を表示する表示制御手段とを有する表示装置であって、
前記表示制御手段は、前記第１及び第２の画面に第1の画像及び補間画像をそれぞれ表示する第1の表示状態と、前記第１及び第２の画面に補間画像及び第2の画像をそれぞれ表示する第2の表示状態とを交互に繰り返して前記第１及び第２の画像を交互に表示させるクロストーク補正表示手段を有することを特徴とする表示装置。
【請求項２０】
共通の表示部に形成されたそれぞれ異なる方向から視認できる第１及び第２の画面に第１及び第２の画像を表示する表示方法であって、
前記第１及び第２の画面に第1の画像及び補間画像をそれぞれ表示する第1の表示状態と、前記第１及び第２の画面に補間画像及び第2の画像をそれぞれ表示する第2の表示状態を交互に繰り返して前記第１及び第２の画像を交互に表示することを特徴とする表示方法。
【発明の詳細な説明】
【技術分野】
【０００１】
本発明は、共通の表示画面上で異なる方向からそれぞれ異なる画像を視認できる、いわゆるデュアルビュー表示装置の表示制御装置に関する。
【背景技術】
【０００２】
共通の表示画面上で異なる方向からそれぞれ異なる画像を視認できる、いわゆるデュアルビューディスプレイとしては、例えば、液晶パネルの前に視差バリアを設け、１ピクセルごとにバックライトからの光の進行方向を振り分けることで、左右において異なる情報（画像）を表示できるものが知られている（例えば、特許文献１等参照）。このような表示装置を車両に搭載することにより、運転者がナビゲーション画像を観ている間に助手席の搭乗者がテレビ等の他の画像を観ることが可能となる。
【特許文献１】特開２００５−７８０８０号公報
【発明の開示】
【発明が解決しようとする課題】
【０００３】
ところで、上記のような表示装置では、表示画面を観る方向によって、左右の画像の双方が混在する、いわゆるクロストークが発生する。例えば、運転者がナビゲーション画像を観ている間に助手席側のテレビ画像光が運転席側に漏れてナビゲーション画像に重なると、運転者がナビゲーション情報を明瞭に識別できない可能性がある。
【０００４】
本発明は、上記の事情に鑑みて成されたものであり、その目的とするところは、共通の表示画面上で異なる方向からそれぞれの画像を視認できる表示装置の表示制御装置において、画像のクロストークが低減されて画像の視認性を向上させることができる表示制御装置を提供することにある。
【課題を解決するための手段】
【０００５】
本発明に係る表示制御装置は、共通の表示部に形成されたそれぞれ異なる方向から視認できる第１及び第２の画面に、第１及び第２の画像をそれぞれ表示させる表示制御装置であって、第１及び第２の画面に第1の画像及び補間画像をそれぞれ表示する第1の表示状態と、第１及び第２の画面に補間画像及び第2の画像をそれぞれ表示する第2の表示状態とを交互に繰り返して第１及び第２の画像を交互に表示させるクロストーク補正表示手段を有する、ことを特徴としている。
この構成によれば、第１及び第２の画像のうち一方の画像を表示中に他方の画像が表示されないので、第１の画像と第２の画像との間のクロストークが大幅に低減される。
【０００６】
上記構成において、クロストーク補正表示手段は、第１又は第２の画像と共に黒画からなる補間画像を表示させる、構成を採用できる。
この構成によれば、補間画像として黒画を表示することにより、表示中の第１又は第２の画像に補間画像からの光漏れを低減できる。
【０００７】
上記構成において、クロストーク補正表示手段は、第1又は第2の画像と共に白画からなる補間画像を表示させる、構成を採用できる。
この構成によれば、補間画像を白画としてその輝度レベルを上昇させることにより、表示中の画像の平均輝度（見かけ上の輝度）の低下を抑制できる。
【０００８】
上記構成において、クロストーク補正表示手段は、第1又は第2の画像と共に無彩色画からなる補間画像を表示させる、構成を採用できる。
この構成によれば、無彩色画を用いることにより輝度調整が可能になると共に表示される画像の色合いが変化するのを抑制することができる。
【０００９】
上記構成において、クロストーク補正表示手段は、第１及び第２の画像の画像信号のコントラスト又はブライトネスを調整する、構成を採用できる。
この構成によれば、画像信号のコントラスト又は輝度の調整により、補間画像を挿入することによる表示画像の平均輝度の低下を抑制できる。
【００１０】
上記構成において、クロストーク補正表示手段は、黒画と白画の間で補間画像の輝度レベルを調整する、構成を採用できる。具体的には、表示部の周囲の明るさに応じて補間画像の輝度レベルを決定したり、画像信号の輝度レベルに応じて補間画像の輝度レベルを決定することができる。
この構成によれば、画像の輝度を周囲の明るさ等の変動に対して、表示される画像の平均輝度を最適化できる。
【００１１】
上記構成において、クロストーク補正表示手段は、第１又は第２の画像と補色関係を有する色の画像を補間画像とする、構成を採用できる。
この構成によれば、補間画像の色を補色にすることにより、表示された第１又は第２の画像を鮮明に表示できてクロストークを低減できる。
【００１２】
上記構成において、クロストーク補正表示手段は、第１又は第２の画像を部分的に黒画に置換して補間画像とする、構成を採用できる。
この構成によれば、クロストークが発生しやすい部分のみ黒画とすることにより、クロストークの低減及び輝度低下の抑制が可能となる。
【００１３】
上記構成において、クロストーク補正表示手段は、黒画の補間画像と白画の補間画像とを時間的に所定の割合で振り分けて表示させることにより表示される画像の平均輝度を調整する、構成を採用できる。
この構成によれば、クロストークを改善できると共に黒画と白画の割合に応じて輝度調整できる。
【００１４】
上記構成において、クロストーク補正表示手段は、ユーザにより設定された設定値に基づいて補間画像を形成する、構成を採用できる。
この構成によれば、ユーザの好みに合わせた画像調整が可能となる。
【００１５】
上記構成において、第１及び第２の画像の画像信号が一致又は近似しているかを判断する信号判断手段を有し、信号判断手段により第１及び第２の画像の画像信号が一致又は近似していると判断される場合には、第１及び第２の画像の画像信号を前記表示部へ同時に出力する、構成を採用できる。具体的には、信号判断手段は、第１及び第２の画像の画像信号の差分値を算出すると共にこの差分値の一画像内における積算値に基づいて、第１及び第２の画像の画像信号が一致又は近似するかを判断する構成、第１及び第２の画像の画像信号の差分値を算出すると共にこの差分値の一画像内における最大値に基づいて、第１及び第２の画像の画像信号が一致又は近似するかを判断する構成、あるいは、信号判断手段は、第１及び第２の画像の画像信号の差分値を算出すると共にこの差分値が一画像内において所定のしきい値を超える回数に基づいて、第１及び第２の画像の画像信号が一致又は近似するかを判断したりする構成を採用できる。
これらの構成によれば、第１及び第２の画像が同一あるいは近似していてクロストークが発生しない場合に、通常の表示動作（同時表示動作）に自動的に切り換えることができる。
【００１６】
上記構成において、クロストーク補正表示手段の起動に応じて、前記表示部の有するバックライトの輝度を上昇させる、構成を採用できる。
この構成によれば、クロストーク補正表示による輝度低下を表示部のバックライトの輝度のアップにより自動的にカバーできる。
【００１７】
上記構成において、表示部は、第１及び第２の画像の視認できる方向を規定するための可動の視差バリアを備え、クロストーク補正表示手段は、第１及び第２の画像の一方の画像信号の出力に同期させて他方の画像を遮蔽するように視差バリアの遮光部を伸張させる構成を採用できる。
この構成によれば、画像信号の出力に同期させて視差バリアを伸張させることにより、補間画像からの光漏れを低減できて、その結果、クロストークを低減できる。
【００１８】
本発明に係る表示装置は、それぞれ異なる方向から視認できる第１及び第２の画面を備えた共通の表示部と、第１及び第２の画面に第1及び第2の画像を表示する表示制御手段とを有する表示装置であって、表示制御手段は、第１及び第２の画面に第1の画像及び補間画像をそれぞれ表示する第1の表示状態と、第１及び第２の画面に補間画像及び第2の画像をそれぞれ表示する第2の表示状態とを交互に繰り返して第１及び第２の画像を交互に表示させるクロストーク補正表示手段を有することを特徴としている。
【００１９】
本発明に係る表示方法は、共通の表示部に形成されたそれぞれ異なる方向から視認できる第１及び第２の画面に第１及び第２の画像を表示する表示方法であって、第１及び第２の画面に第1の画像及び補間画像をそれぞれ表示する第1の表示状態と、第１及び第２の画面に補間画像及び第2の画像をそれぞれ表示する第2の表示状態を交互に繰り返して前記第１及び第２の画像を交互に表示させることを特徴としている。
【発明の効果】
【００２０】
本発明によれば、共通の表示部で異なる方向からそれぞれ画像を視認できる表示装置において、画像間のクロストークを大幅に低減できると共に表示される画像の輝度低下を防止できる。
【発明を実施するための最良の形態】
【００２１】
以下、本発明の最良の実施形態について、添付図面を参照しつつ説明する。
図１は本発明の一実施形態に係るデュアルビュー表示装置の基本構成を説明するための図である。
この表示装置は、図１に示すように、表示制御装置としての表示制御部１０、表示部１００等から構成されている。
表示制御部１０は、第１の画像ソース３００Ａから画像データ（画像信号）ＤＴ１が供給されると共に第２の画像ソース３００Ｂから画像データ（画像信号）ＤＴ２が供給されて、これら第１及び第２の画像データＤＴ１，ＤＴ２からなる画像データ（画像信号）ＡＤＴを共通の表示部１００へ出力する。尚、表示制御部１０の具体的な構成については後述する。
また、第１及び第２の画像ソース３００Ａ,３００Ｂは、後述するカメラ、ＴＶ受信部、ＤＶＤ再生部、ＨＤ再生部、ナビゲーション部等で構成される。
【００２２】
表示部１００は、後述するように、液晶パネル、バックライト、視差バリア等から構成されており、第１の画像データＤＴ１に基づく第１の画像ＩＭ１を右方向から観る観察者ＯＢＲが視認できると共に第２の画像データＤＴ２に基づく第２の画像ＩＭ２を左方向から観る観察者ＯＢＬが視認できるように表示する。すなわち、表示部１００は、観察者ＯＢＲ側から視認できる画面（第１の画面）と観察者ＯＢＬ側から視認できる画面（第２の画面）とを備えており、これらの画面に第１及び第2の画像ＩＭ１がそれぞれ表示される。尚、表示部１００の具体的な構成については後述する。
【００２３】
図２は本発明の一実施形態に係る表示装置を車両へ適用した例を示す斜視図である。
表示装置の表示部１００は、図２に示すように、車両のダッシュボード部分の運転席ＤＳと助手席ＡＳとの間に配置される。また、表示部１００には、表示装置を手動で操作するための操作部１５０が設けられている。
図２に示すケースにおいては、運転席ＤＳに着席した搭乗者が上記の観察者ＯＢＲとなり、助手席ＡＳに着席した搭乗者が上記の観察者ＯＢＬとなる。そして、これらの搭乗者は、それぞれ運転席ＤＳ側又は助手席ＡＳ側から表示部１００の画面に表示された第１の画像ＩＭ１及び第２の画像ＩＭ２を同時に観ることができる。
【００２４】
図３ないし図９は本発明の一実施形態に係る表示装置の具体的な構成を示す図であって、図３は表示装置の機能ブロック図、図４は制御部の構成を示す機能ブロック図、図５は第１及び第２の画質調整回路の機能ブロック図、図６は液晶パネルの断面構造及び作用を説明するための図、図７は液晶パネルの正面図、図８はＴＦＴ基板の回路図、及び図９は画像出力部７０の構成を示す図である。
【００２５】
この表示装置は、図３に示すように、表示部１００加えて、制御部２０、分配回路３０、第１及び第２の画質調整回路５０Ａ，５０Ｂ、画像出力部７０等から構成されている。尚、上記した表示制御部１０は、制御部２０、分配回路３０、第１及び第２の画質調整回路５０Ａ，５０Ｂ、画像出力部７０等から構成される。
【００２６】
制御部２０は、図４に示すように、プロセッサ２１、インターフェース２２、ＲＯＭ２３、ＲＡＭ２４等から構成され、ＲＯＭ２３に記憶されたプログラムにしたがって表示装置を総合的に制御する。尚、制御部２０による具体的な制御については後述する。
【００２７】
制御部２０は、図３に示すように、車両に搭載されて画像や音声を供給する供給源としての、車両の周囲等を撮像するカメラ３１０、音楽や画像を再生するＣＤ／ＭＤ（コンパクトディスク／ミニディスク）再生部３２０、アンテナからラジオ放送波を受信するラジオ受信部３３０、アンテナからセレクタ３４１を介してＴＶ放送波を受信するＴＶ受信部３４０、ＤＶＤ（ディジタルバーサタイルディスク）から音楽情報や画像を再生するＤＶＤ再生部３５０、ＨＤ（ハードディスク）に記録された画像や音楽情報を再生するＨＤ再生部３６０、ＶＩＣＳ情報受信部３７１が受信した道路情報やＧＰＳ情報受信部３７２が受信した地理情報に基づいて地図やルート案内画像を出力するナビゲーション部３７０等と接続されて、これらとの間でデータを授受すると共にこれらをコントロールする。
また、制御部２０には、各種データを記憶する外部メモリ１４０、表示装置を操作するための操作部１５０、表示装置をリモコン操作するためのリモコン１７１との間で赤外線信号や無線信号を送受するリモコン送受信部１７０、車両に備わるライトスイッチや光センサで構成されて車両内の明るさを検知する明るさ検知センサ１９０、運転席や助手席に設けられる感圧センサ等で構成されて車両の乗員を検出する乗員検知センサ２００等が接続され、制御部２０は、これらから得られる各種データに基づいて各種制御が可能となっている。
【００２８】
分配回路３０は、図３に示すように、上記したカメラ３１０、ＣＤ／ＭＤ再生部３２０、ラジオ受信部３３０、ＴＶ受信部３４０、ＤＶＤ再生部３５０、ＨＤ再生部３６０、ナビゲーション部３７０等から供給される音声データや画像データを、制御部２０からの制御指令に応じて、音声調整回路６０、第１の画質調整回路５０Ａ、あるいは、第２の画質調整回路５０Ｂへ分配する。
音声調整回路６０は、図３に示すように、分配回路３０から供給された音声データを調整してスピーカ６１へ出力する。
【００２９】
第１及び第２の画質調整回路５０Ａ，５０Ｂは、図５に示すように、それぞれコントラスト調整部５１、輝度調整部５２、色調調整部５３、ガンマ値調整部５４等から構成され、制御部２０からの制御指令に応じて、第１及び第２の画像データ（画像信号）の画質（コントラスト、輝度、色調、ガンマ値）をそれぞれ調整する。
【００３０】
表示部１００は、図３に示すように、液晶パネル１１０、液晶パネル１１０の背面側から照明光を当てるバックライト１２０、表示装置を操作する信号を入力するためのタッチパネル１３０等から構成されている。尚、タッチパネル１３０は、図示しないが、透明なシート状に形成されて液晶パネル１１０の前面に貼着される。
【００３１】
液晶パネル１１０は、図６に示すように、バックライト１２０側から順に配置された、偏光板１１１、ＴＦＴ（Thin Film Transistor）基板１１２、液晶層１１３、ＲＧＢの３原色の画素をもつカラーフィルタ基板１１４、視差バリア１１５、ガラス板１１６、偏光板１１７等から構成された周知の構造を有する。
この液晶パネル１１０は、図７及び図８に示すように、例えば、水平方向に８００画素、垂直方向に４８０画素が配列された表示画面を有すると共に、この表示画面には、水平方向において左側表示用画素１１８（以下、助手席側表示用画素１１８ともいう。）と右側表示用画素１１９（以下、運転席側表示用画素１１９ともいう。）とが交互に配列されて構成されている。
【００３２】
視差バリア１１５は、図６及び図７に示すように、ストライプ状に形成されて遮蔽部と透光部を有し、その遮蔽部は隣接する左側表示用画素１１８と右側表示用画素１１９との間に配置される。視差バリア１１５をカラーフィルタ基板１１４の前面に配置することにより、左側表示用画素１１８を透過した照明光は、左側に向かう照明光のみ選択的に視差バリア１１５の透光部を通過し、右側表示用画素１１９を透過した照明光は、右側に向かう照明光のみが選択的に視差バリア１１５の透光部を通過する。これにより、図６に示すように、液晶パネル１１０の右側（運転席側）からは第１の画像ＩＭ１が視認でき、左側（助手席側）からは第２の画像ＩＭ２が視認できるようになっている。
尚、視差バリア１１５は、特開平１０−１２３４６１号公報や特開平１１−８４１３１号公報等に開示されているものと同様のものを使用できる。
【００３３】
ＴＦＴ基板１１２は、図８に示すように、データ線駆動回路ＤＲ１、走査線駆動回路ＤＲ２、垂直方向に配列された走査線ＳＣＬ、水平方向に配列されたデータ線ＤＴＬ、走査線ＳＣＬとデータ線ＤＴＬとの交差する領域毎に形成されたＴＦＴ素子ＥＬ、ＴＦＴ素子ＥＬに対応して形成された画素電極ＥＰ等を備え、走査線ＳＣＬ及びデータ線ＤＴＬで囲まれた各領域がサブピクセルＳＢＰを構成しており、データ線ＤＴＬに沿う各列のサブピクセルＳＢＰは交互に左側表示用画素１１８と右側表示用画素１１９とに割り当てられる。
データ線駆動回路ＤＲ１は、後述する液晶パネル駆動部７４によりその駆動タイミングを制御されて、画素電極ＥＰへの印加電圧を制御する。
走査線駆動回路ＤＲ２は、後述する液晶パネル駆動部７４によりその駆動タイミングを制御されて、ＴＦＴ素子ＥＬを選択走査する。
【００３４】
メモリ１４０は、例えば、フラッシュメモリ等の電気的書き換え可能な不揮発性メモリ又はバッテリバックアップされた揮発性メモリにより構成されており、制御部２０による制御に必要なデータ等を記憶している。
【００３５】
画像出力部７０は、図９に示すように、フレームメモリ５１０Ａ，５１０Ｂ、補助フレームメモリ５２０Ａ，５２０Ｂ、液晶パネル駆動部７４、切替スイッチＳＷ１，ＳＷ２等から構成されている。
フレームメモリ５１０Ａ，５１０Ｂには、例えば、第１及び第２の画質調整回路５０Ａ，５０Ｂにおいてそれぞれ画質調整された第１及び第２の画像データ（画像信号）ＤＴ１，ＤＴ２がそれぞれ書き込まれる。これら第１及び第２の画像データＤＴ１，ＤＴ２は、ＴＶ受信部３４０、ＤＶＤ再生部３５０、ナビゲーション部３７０等からの画像信号（映像信号）であり、例えば、６０Ｈｚの入力レートでフレームメモリ５１０Ａ，５１０Ｂへ書き込まれる。
補助フレームメモリ５２０Ａ，５２０Ｂには、制御部２０により、補間画像データＳＢ１，ＳＢ２がそれぞれ書き込まれる。
補間画像データＳＢ１，ＳＢ２は、後述するように、黒画や白画等を表示部１００に表示させるためのデータである。
【００３６】
切換スイッチＳＷ１は、固定接点Ｃ１，Ｃ２と可動接点Ｃ３とを所定のフレームレート（例えば、１２０Ｈｚ）で制御部２０より入力される同期信号ＳＣに応じて選択的に接続するスイッチである。固定接点Ｃ１と可動接点Ｃ３が接続されたときには、フレームメモリ５１０Ａに保持された一画像分（一フレーム分）の画像データＤＴ１が液晶パネル駆動部７４へ出力され、固定接点Ｃ２と可動接点Ｃ３が接続されたときには、補助フレームメモリ５２０Ａに保持された一画像分（一フレーム分）の補間画像データＳＢ１が液晶パネル駆動部７４へ出力される。
切換スイッチＳＷ２は、固定接点Ｃ１，Ｃ２と可動接点Ｃ３とを所定のフレームレート（例えば、１２０Ｈｚ）で制御部２０より入力される同期信号ＳＣに応じて選択的に接続するスイッチである。固定接点Ｃ１と可動接点Ｃ３が接続されたときには、フレームメモリ５１０Ｂに保持された一画像分（一フレーム分）の画像データＤＴ２が液晶パネル駆動部７４へ出力され、固定接点Ｃ２と可動接点Ｃ３が接続されたときには、補助フレームメモリ５２０Ｂに保持された一画像分（一フレーム分）の補間画像データＳＢ２が液晶パネル駆動部７４へ出力される。
尚、切換スイッチＳＷ２は、接続タイミングが切換スイッチＳＷ１とは逆になっており、切換スイッチＳＷ１の固定接点Ｃ１と可動接点Ｃ３が接続されている場合には、切換スイッチＳＷ２の固定接点Ｃ２と可動接点Ｃ３が接続され、切換スイッチＳＷ１の固定接点Ｃ２と可動接点Ｃ３が接続されている場合には、切換スイッチＳＷ２の固定接点Ｃ１と可動接点Ｃ３が接続される。尚、切換スイッチＳＷ１，ＳＷ２はトランジスタ等の半導体スイッチにより構成されている。
【００３７】
液晶パネル駆動部７４は、表示部１００の後述する液晶パネル１１０を駆動する回路であり、フレームメモリ５１０Ａ又は補助フレームメモリ５２０Ａに保持されているデータに基づいて、運転席（Ｄ席）側の画像を表示するための液晶表示パネル１１０の画素を駆動すると共に、フレームメモリ５１０Ｂ又は補助フレームメモリ５２０Ｂに保持されているデータに基づいて、助手席（Ｐ席）側の画像を表示するための液晶表示パネル１１０の画素を駆動する。尚、液晶パネル駆動部７４において、液晶パネル１１０の各画素に対応したデータの並べ替え処理がされる。
【００３８】
次に、制御部２０による表示制御処理の一例について、図１０〜図１４を参照して説明する。
ここで、図１０は制御部による基本的な表示制御処理の流れを示すフローチャート、図１１〜図１３は第１及び第２の画像データをフレーム毎に比較して近似しているかを判断する信号判断手段としての回路図、図１４は黒画によるクロストーク補正表示処理の一例を説明するための図である。
尚、制御部２０による表示制御処理は、画像表示中においては繰り返し実行される。
【００３９】
制御部２０は、先ず、フレームメモリ５１０Ａ，５１０Ｂに入力される、第１及び第２の画像データ（画像信号）ＤＴ１，ＤＴ２が一致又は近似しているかを判断し（ステップＳＴ１）する。
制御部２０は、第１及び第２の画像データＤＴ１，ＤＴ２の比較結果により、両者が一致又は近似する場合には、切換スイッチＳＷ１，ＳＷ２の固定接点Ｃ１と可動接点Ｃ３とを接続して、第１及び第２の画像データＤＴ１，ＤＴ２を液晶パネル駆動部７４へ同時に出力して同時に表示させる（ステップＳＴ２）。第１及び第２の画像データ（画像信号）ＤＴ１，ＤＴ２が一致又は近似している場合には、クロストークが発生しない、あるいは、発生量が小さいので、後述するクロストーク補正表示をする必要がないからである。
【００４０】
ここで、第１及び第２の画像データＤＴ１，ＤＴ２の比較する回路について説明する。
図１１に示す回路は、差分回路６００、絶対値演算回路６１０、フレーム内積算回路６２０、比較回路６５０等から構成されている。
差分回路６００は、第１及び第２の画像データＤＴ１，ＤＴ２の差分値を算出する。
絶対値演算回路６１０は、差分値の絶対値を演算する。
フレーム内積算回路６２０は、差分値の絶対値の一フレーム（一画像）内における積算値を算出する。
比較回路６５０は、積算値と所定のしきい値とを比較して、比較信号を出力する。積算値が所定のしきい値よりも大きい場合には、第１及び第２の画像データＤＴ１，ＤＴ２は近似せず、小さい場合には、一致又は近似していると判断できる。
尚、図１１に示す回路は、例えば、制御部２０に内蔵されており、差分回路６００の入力がフレームメモリ５１０Ａ，５１０Ｂにそれぞれ接続され、比較回路６５０の出力がＣＰＵ２１に接続される。
【００４１】
図１２に示す回路は、図１１のフレーム内積算回路６２に代えてフレーム内最大値検出回路６３０を有している。
フレーム内最大値検出回路６３０は、差分値の絶対値の一フレーム内における最大値を検出し、比較回路６５０に出力する。
【００４２】
図１３に示す回路は、絶対値演算回路６１０の後段に比較回路６６０、カウンタ回路６７０、及び比較回路６８０を有している。
比較回路６６０は、第１及び第２の画像の画像データＤＴ１，ＤＴ２の差分値の絶対値が所定のしきい値１を超えるかを判断し、カウンタ回路６７０は差分値の絶対値が所定のしきい値を超えた回数をカウントし、比較回路６８０は、カウンタ回路６７０のカウント値が所定のしきい値２を超えているかを判断する。カウント値がしきい値２を超えている場合には、画像データＤＴ１，ＤＴ２は近似せず、超えていない場合には、一致又は近似すると判断できる。
【００４３】
一方、制御部２０は、第１及び第２の画像データＤＴ１，ＤＴ２が異なる場合（例えば、一方がナビゲーションの画像で他方がＴＶ画像のような場合）には、クロストーク補正表示処理を実行する（ステップＳＴ３）。
【００４４】
制御部２０は、クロストーク補正表示処理では、上記した切換スイッチＳＷ１，ＳＷ２を同期信号により駆動し、図１４に示すように、第１の画像ＩＭ１（運転席側画像、以下Ｄ席画像という）と第２の画像ＩＭ２（助手席側画像、以下Ｐ席画像という）と上記した所定のフレームレート（例えば、１２０Ｈｚ）で交互に液晶パネル１１０に表示させる。
また、制御部２０は、クロストーク補正制御に先立って、黒画を形成するための補間画像データＳＢ１，ＳＢ２をそれぞれ補助フレームメモリ５２０Ａ，５２０Ｂに予め書き込んでおり、図１４（ａ）に示すように、Ｄ席画像ＩＭ１（例えば、ナビゲーション画像）が表示されるときには、Ｐ席側に黒画からなる補間画像ＩＭＢ２を表示させる。
また、図１４（ｂ）に示すように、Ｐ席画像ＩＭ２（例えば、ＴＶ映像）が表示されるときには、Ｄ席側には黒画からなる補間画像ＩＭＢ１を表示する。
図１４（ｃ）に示すように、再び、Ｄ席画像ＩＭ１が表示されるときには、Ｐ席側に黒画からなる補間画像ＩＭＢ２を表示させる。
【００４５】
このように、表示部１００には、Ｄ席画像ＩＭ１、Ｐ席画像ＩＭ２が１２０Ｈｚのフレームレートで交互に表示されると共に、一方の画像が表示される際に他方の画像は黒画からなる補間画像ＩＭＢ１又はＩＭＢ２に置き換えられて表示される。
このため、Ｄ席画像ＩＭ１及びＰ席画像ＩＭ２の一方から他方への光漏れが低減されて、Ｄ席画像ＩＭ１とＰ席画像ＩＭ２との間のクロストークを大幅に低減できる。
【００４６】
次いで、制御部２０は、バックライト１２０の輝度をアップさせるように制御する（ステップＳＴ４）。時間的に隣接するＤ席画像ＩＭ１，Ｐ席画像ＩＭ２の間には、それぞれ黒画からなる補間画像ＩＭＢ１，ＩＭＢ２が挿入されると、表示部１００に表示される画像ＩＭ１，ＩＭ２の平均輝度が補間画像ＩＭＢ１，ＩＭＢ２を挿入しない場合に比べて低下する。このため、バックライト１２０の輝度をアップすることにより、表示画像の平均輝度の低下を防ぐことができる。
【００４７】
次に、制御部２０によるクロストーク補正表示処理の他の例について、図１５及び図１６を参照して説明する。
制御部２０は、図１５に示すように、先ず、補間画像として黒画を出力するかを判断し（ステップＳＴ２１）、黒画を出力する場合には、表示される画像の平均輝度の低下を防止すべく、第１及び第２の画像の画像データ（画像信号）ＤＴ１，ＤＴ２のコントラスト又はブライトネス（輝度）を表示される画像の平均輝度が上昇するように調整する。尚、制御部２０から第１及び第２の画質調整回路５０Ａ，５０Ｂへ制御信号を出力することにより、コントラスト又はブライトネスが調整される。
そして、制御部２０は、上記したのと同様のクロストーク補正表示を実行する（ステップＳＴ２３）。このように、画像信号のコントラスト又はブライトネスを調整することにより、補間画像として黒画を使用した場合の表示画像の輝度低下を防止できる。
【００４８】
一方、制御部２０は、ステップＳＴ２１において、補間画像として黒画を使用しない場合には、補間画像として、白画を使用する（ステップＳＴ２４）。この場合には、制御部２０は、白画を形成するための補間画像データＳＢ１，ＳＢ２をそれぞれ補助フレームメモリ５２０Ａ，５２０Ｂに書き込む。
補間画像として白画を設定すると、Ｄ席画像ＩＭ１の表示の際には、図１６（ａ）に示すように、白画からなる補間画像ＩＭＷ２が同時に表示され、Ｐ席画像ＩＭ２の表示の際には、図１６（ｂ）に示すように、白画からなる補間画像ＩＭＷ１が同時に表示される。白画からなる補間画像ＩＭＷ１，ＩＭＷ２をＤ席画像ＩＭ１及びＰ席画像ＩＭ２の表示の間に挿入することにより、白画は黒画よりも輝度が高いことから、表示される画像の平均輝度（見かけの輝度）を上昇させることができる。
【００４９】
次に、制御部２０によるクロストーク補正表示処理のさらに他の例について、図１７及び図１８を参照して説明する。
制御部２０は、図１７に示すように、先ず、表示画像の平均輝度を最適調整するかを判断する（ステップＳＴ３１）。表示画像の平均輝度を最適調整するか否かは、ユーザにより設定されてその情報がメモリ１４０に予め保持されている。
制御部２０は、最適調整をしない場合には、予め設定された設定値により表示画像の平均輝度レベルを調整する（ステップＳＴ３２）。この調整は、バックライト１２０の輝度をアップさせる等の調整である。
次いで、制御部２０は、黒画と白画を時間的に振り分けて表示させる際の黒画と白画の割合に関する情報をメモリ１４０から取得する（ステップＳＴ３３）。黒画と白画の割合は、ユーザ等により予め設定されている。例えば、表示画像の平均輝度を高くする場合には、６０フレーム中、黒画１０＋白画５０、平均輝度を中程度にする場合には、黒画３０＋白画３０、平均輝度を低くする場合には、黒画５０＋白画１０のような割合に設定されている。
そして、クロストーク補正表示の際に、設定割合に応じて黒画と白画を時間的に振り分けて表示する（ステップＳＴ３９）。これにより、表示される画像の平均輝度が黒画と白画の設定割合に応じて調整される。
【００５０】
一方、制御部２０は、ステップＳＴ３１において、表示画像の平均輝度を最適調整する場合には、表示部１００の周囲の明るさに応じて表示画像の平均輝度を最適調整するか否かを判断する。周囲の明るさに応じて輝度調整をするか否かは、ユーザ等により設定されてその情報がメモリ１４０に予め保持されている。周囲の明るさに応じて輝度調整をする場合には、明るさ検知センサ１９０等からの検出信号に基づいて、明るさを検出する（ステップＳＴ３５）。
【００５１】
次いで、制御部２０は、第１及び第２の画像の画像データ（画像信号）ＤＴ１，ＤＴ２の平均レベルに応じて表示画像の平均輝度を最適調整するかを判断する（ステップＳＴ３６）。画像信号の平均レベルに応じて表示画像の平均輝度を最適調整するか否かは、ユーザ等により設定されてその情報がメモリ１４０に予め保持されている。画像信号の平均レベルに応じて輝度調整する場合には、第１及び第２の画像の画像データ（画像信号）ＤＴ１，ＤＴ２の平均レベルを検出する（ステップＳＴ３７）。尚、画像信号の平均レベルが高いほど表示画像の平均輝度が高く、平均レベルが低いほど画像の平均輝度が低い。
【００５２】
次いで、制御部２０は、ステップＳＴ３５において検出した表示部１００の周囲の明るさ、及び／又は、ステップＳＴ３７において検出した画像信号の平均レベルに応じて、補間画像の輝度レベルを決定する。補間画像の輝度レベルは、例えば、周囲の明るさや信号レベルに応じて予め設定された輝度マップから輝度値を選択することにより決定する（ステップＳＴ３８）。
このようにして、周囲の明るさや画像信号の平均レベルに応じて補間画像の輝度を決定すると、クロストーク補正表示の際に（ステップＳＴ３９）、例えば、図１８に示すように、種々の輝度の補間画像が表示される。例えば、周囲の明るさが大きい場合や画像信号の平均レベルが高い場合には、図１８（ａ）に示すように、輝度が低い黒画からなる補間画像ＩＭＢ２が表示され、中程度の場合には、図１８（ｂ）に示すように、灰色からなる補間画像ＩＭＧ２が表示され、周囲の明るさが小さい場合や画像信号の平均レベルが高い場合には、白画からなる補間画像ＩＭＷ２が表示され、黒画から白画の間で輝度レベルが最適に調整される。
この結果、表示装置１００に表示される画像の平均輝度が最適に調整されて、ユーザにとって見やすい画像が表示される。
また、補間画像を黒画、灰色画、白画のように無彩色画のみにして、有彩色画を用いないことで、輝度調整が可能になると共に表示される画像の色合いが変化するのを抑制することができる。
【００５３】
図１９は、画像出力部の他の構成例を示す機能ブロック図である。
図１９に示す画像出力部７０Ａは、補助フレームメモリ５２０Ａ，５２０Ｂの前段に補色演算回路５４０Ａ，５４０Ｂを備えている。
補色演算回路５４０Ａは、第１の画像データＤＴ１により形成されるＤ席画像ＩＭ１と補色関係を有する色の補間画像データを演算して補助フレームメモリ５２０Ａへ出力する。
補色演算回路５４０Ｂは、第２の画像データＤＴ２により形成されるＰ席画像ＩＭ２と補色関係を有する色の補間画像データを演算して補助フレームメモリ５２０Ｂへ出力する。
【００５４】
図２０は、画像出力部７０Ａによりクロストーク補正表示される画像の一例を示す図である。
Ｄ席画像ＩＭ１を表示中には、図２０（ａ）に示すように、Ｐ席画像ＩＭ２と補色関係にある色の補間画像ＩＭＣ２が表示され、Ｐ席画像ＩＭ２が表示中には、図２０（ｂ）に示すように、Ｄ席画像ＩＭ１と補色関係にある色の補間画像ＩＭＣ１が表示される。
このように、Ｄ席画像ＩＭ１，Ｐ席画像ＩＭ２に対して、補色関係にある色の補間画像ＩＭＣ１，ＩＭＣ２をそれぞれ挿入することにより、Ｄ席画像ＩＭ１，Ｐ席画像ＩＭ２を鮮明に表示させることができて、クロストークを低減できる。
【００５５】
図２１は、画像出力部のさらに他の構成例を示す機能ブロック図である。
図２１に示す画像出力部７０Ａは、補助フレームメモリ５２０Ａ，５２０Ｂの前段に合成回路５３０Ａ，５３０Ｂを備えている。
【００５６】
合成回路５３０Ａは、第１の画像データＤＴ１中の特定部分を規定するための座標データＣＤ１（ＡＸ１，ＡＹ１、ＡＸ２，ＡＹ２）を制御部２０から取得して、この座標データＣＤ１で規定される第１の画像データＤＴ１の特定部分を黒画に置換して補助フレームメモリ５２０Ａに出力する。尚、ＡＸ１，ＡＹ１は、特定部分の開始座標であり、ＡＸ２，ＡＹ２は、特定部分の終了座標である。また、座標データＣＤ１は、第２の画像データＤＴ２においてクロストークが発生しやすい部分を特定するための情報である。クロストークが発生しやすい領域は、例えば、ナビゲーション画像の場合には、予め得られる地図情報を解析すること等により抽出することができる。
【００５７】
合成回路５３０Ｂは、第２の画像データＤＴ２中の特定部分を規定するための座標データＣＤ２（ＢＸ１，ＢＹ１、ＢＸ２，ＢＹ２）を制御部２０から取得して、この座標データＣＤ２で規定される第２の画像データＤＴ２の特定部分を黒画に置換して補助フレームメモリ５２０Ｂに出力する。尚、ＢＸ１，ＢＹ１は、特定部分の開始座標であり、ＢＸ２，ＢＹ２は、特定部分の終了座標である。また、座標データＣＤ２は、第２の画像データＤＴ１においてクロストークが発生しやすい部分を特定するための情報である。
【００５８】
図２２は、上記の合成回路により画像を部分的に黒画に置換して補間画像とした場合の一例を示す図である。
本例では、Ｄ席画像ＩＭ１を表示中には、図２２（ａ）に示すように、黒画からなる補間画像ＩＭＢ２を表示し、Ｐ席画像ＩＭ２を表示中には、Ｄ席画像ＩＭ１を部分的に黒画ＢＬで置換した補間画像ＩＭＰ１を同時に表示している。
部分的な黒画ＢＬは、Ｐ席画像ＩＭ２中の領域Ｒ１に対応しており、この領域Ｒ１はクロストークが発生しやすい部分である。
このように部分的な黒画で画像を置換して補間画像を形成することにより、Ｄ席画像ＩＭ１とＰ席画像ＩＭ２とのクロストークを低減できると共に、全て黒画で補間画像を形成した場合と比べて、表示される画像の平均輝度の低下を抑えることができる。
【００５９】
図２３は、ユーザによるクロストーク補正に関する設定画面の一例を示す図である。
この設定画面は、表示部１００の表示画面に表示されると共に、図２３に示すタッチスイッチＤ１を選択することにより、クロストーク補正に関する設定画面が表示されるようになっている。
タッチスイッチＤ１０は、クロストーク補正表示をオン／オフさせるためのスイッチであり、ユーザがこのスイッチをオンさせた場合には、表示制御部１０によりクロストーク補正表示処理が実行され、オフさせた場合には、上記した同時表示処理が実行される。
タッチスイッチＤ１１は、図１７において説明した、表示部１００の周囲の明るさに応じた輝度最適調整処理をオン／オフするためのスイッチである。
タッチスイッチＤ１２は、図１７において説明した、画像信号レベルに応じた輝度最適調整処理をオン／オフするためのスイッチである。
タッチスイッチＤ１３は、図２１及び図２２において説明した、部分的な黒画で補間画像を形成したクロストーク補正表示処理をオン／オフするためのスイッチである。
タッチスイッチＤ１４は、図１７において説明した、白画及び黒画の補間画像を時間的に振り分けるクロストーク補正表示処理をオン／オフするためのスイッチである。
タッチスイッチＤ１５は、図１９及び図２０において説明した、補色からなる補間画像によるクロストーク補正表示処理をオン／オフするためのスイッチである。
タッチスイッチＤ２０は、クロストーク補正表示処理に関する各種ユーザ設定値を記憶、呼出するためのスイッチであり、例えば、このスイッチの長押しにより現設定値を記憶させ、短押しで設定値の呼び出させる。
【００６０】
このように、ユーザによる設定画面を適宜形成することにより、制御部２０のクロストーク補正表示処理をユーザにより最適化することが可能となる。
【００６１】
上記実施形態では、表示部１００における視差バリア１１５に固定式のものを用いたが、これに限定されるわけではなく、液晶等から構成された可動式の視野バリアを用いることも可能である。
具体的には、例えば、図２４及び図２５に示すように、可動式の視差バリア７００をカラーフィルタ基板１１４に対向配置させる。この視差バリア７００は、液晶により形成された遮光部７１０及び透光部７２０を備えており、遮光部７１０及び透光部７２０が可動となっている。
【００６２】
可動式の視差バリア７００が適用された液晶パネル１１０におけるクロストーク補正表示の一例について説明すると、図２４に示すように、Ｐ席画像ＩＭ２を表示するときは、これに同期して遮光部７１０を伸張させて補間画像ＩＭＢ１の光を遮断するように、可動式の視差バリア７００を制御する。また、図２５に示すように、Ｄ席画像ＩＭ１を表示するときは、これに同期して遮光部７１０を伸張させて補間画像ＩＭＢ２の光を遮断するように、表示制御部１０により可動式の視差バリア７００を制御する。
このように、可動式の視差バリア７００をクロストーク補正表示のフレームレートに同期させて駆動することにより、補間画像ＩＭＢ１又はＩＭＢ２の光漏れを低減できて一層クロストークを低減できる。
【００６３】
上記実施形態では、表示部１００に液晶パネルを使用した場合について説明したが、これに限定されるわけではなく、液晶パネル以外のフラットパネルディスレイ、例えば有機ＥＬディスプレイパネル、プラズマディスプレイパネル、冷陰極フラットパネルディスプレイ等を用いることもできる。
【００６４】
上記実施形態は本発明の好適な実施形態である。但し、これに限定されるものではなく、本発明の要旨を逸脱しない範囲内において種々変形実施可能である。
【図面の簡単な説明】
【００６５】
【図１】本発明の一実施形態に係る表示装置の基本構成を説明するための図である。
【図２】表示装置の車両への適用例を示す斜視図である。
【図３】表示装置の構成を示す機能ブロック図である。
【図４】制御部の構成を示す機能ブロック図である。
【図５】第１及び第２の画質調整回路の構成を示す機能ブロック図である。
【図６】表示部１００の断面構造を示す図である。
【図７】液晶パネルの正面図である。
【図８】ＴＦＴ基板の回路図である。
【図９】画像出力部の構成を示す機能ブロック図である。
【図１０】制御部による基本的な表示制御処理の流れを示すフローチャートである。
【図１１】第１及び第２の画像データをフレーム毎に比較して近似しているかを判断するための回路の一例を示す図である。
【図１２】第１及び第２の画像データをフレーム毎に比較して近似しているかを判断するための回路の他の例を示す図である。
【図１３】第１及び第２の画像データをフレーム毎に比較して近似しているかを判断するための回路のさらに他の例を示す図である。
【図１４】クロストーク補正表示処理の一例を説明するための図である。
【図１５】クロストーク補正表示処理の他の例を説明するためのフローチャート図である。
【図１６】白画によるクロストーク補正表示処理を説明するための図である。
【図１７】クロストーク補正表示処理のさらに他の例を説明するためのフローチャート図である。
【図１８】輝度を変化させた補間画像の一例を示す図である。
【図１９】画像出力部の他の構成例を示す機能ブロック図である。
【図２０】補色によるクロストーク補正表示の一例を説明するための図である。
【図２１】画像出力部のさらに他の構成例を示す機能ブロック図である。
【図２２】部分的黒画によるクロストーク補正表示を説明するための図である。
【図２３】ユーザによるクロストーク補正に関する設定画面の一例を示す図である。
【図２４】可動の視差バリアを用いたクロストーク補正表示の一例を説明するための図である。
【図２５】可動の視差バリアを用いたクロストーク補正表示の一例を説明するための図である。
【符号の説明】
【００６６】
１０…表示制御部（表示制御装置）
２０…制御部
３０…分配回路
５０Ａ，５０Ｂ…第１及び第２の画質調整回路
６０…音声調整回路
７０…画像出力部
１００…表示部
１１０…液晶パネル
１２０…バックライト
１３０…タッチパネル
１４０…メモリ
１５０…操作部
１７０…リモコン送受信部
１９０…明るさ検知センサ
２００…乗員検知センサ
３００Ａ，３００Ｂ…画像ソース
３１０…カメラ
３２０…ＣＤ／ＭＤ再生部
３３０…ラジオ受信部
３４０…ＴＶ受信部
３５０…ＤＶＤ再生部
３６０…ＨＤ再生部
３７０…ナビゲーション部
５１０Ａ，５１０Ｂ…フレームメモリ
５２０Ａ，５２０Ｂ…補助フレームメモリ
５３０Ａ，５３０Ｂ…合成回路
５４０Ａ，５４０Ｂ…補色演算回路
６００…差分回路
６１０…絶対値演算回路
６２０…フレーム内積算回路
６３０…フレーム内最大値検出回路
６５０，６６０，６８０…比較回路
６７０…カウンタ回路
７００…可動式視差バリア
７１０…遮光部
７２０…透光部
ＳＣ…同期信号
ＳＢ１，ＳＢ２…補間画像データ
ＳＷ１，ＳＷ２…切換スイッチ
ＤＳ…運転席
ＡＳ…助手席
【図１】
2007078923.tif 000003
【図２】
2007078923.tif 000004
【図３】
2007078923.tif 000005
【図４】
2007078923.tif 000006
【図５】
2007078923.tif 000007
【図６】
2007078923.tif 000008
【図７】
2007078923.tif 000009
【図８】
2007078923.tif 000010
【図９】
2007078923.tif 000011
【図１０】
2007078923.tif 000012
【図１１】
2007078923.tif 000013
【図１２】
2007078923.tif 000014
【図１３】
2007078923.tif 000015
【図１４】
2007078923.tif 000016
【図１５】
2007078923.tif 000017
【図１６】
2007078923.tif 000018
【図１７】
2007078923.tif 000019
【図１８】
2007078923.tif 000020
【図１９】
2007078923.tif 000021
【図２０】
2007078923.tif 000022
【図２１】
2007078923.tif 000023
【図２２】
2007078923.tif 000024
【図２３】
2007078923.tif 000025
【図２４】
2007078923.tif 000026
【図２５】
2007078923.tif 000027